(57)【要約】【課題】濡れた傘を干すに当り、風で飛ばされる事がない、かつそれを防ぐ為に傘をロープで柵などに縛り付けるなどの面倒な作業が不要な傘干し器を提供する事であり、簡単に傘をセットでき、見栄えが良くなる傘干し器を提供することである。【解決手段】傘の先を下方に向けて傘を支持する傘支持部３と傘の骨に当ててその開きを抑止する事により傘を半開き状態に保持するストッパー部材４とから成る構成とした。【選択図】図１
2019181136.tif 000002
【特許請求の範囲】
【請求項１】
傘の先を下方に向けて傘を支持する傘支持部と傘の骨に当ててその開きを抑止する事により傘を半開状態に保持するストッパー部材とから成る傘干し器。
【請求項２】
傘干し器と傘を収納する傘収納器とを組み合わせた構造の傘干し器。
【発明の詳細な説明】
【技術分野】
【０００１】本発明は濡れた傘を乾かす傘干し器に関するものである。
【背景技術】
【０００２】一般に濡れた傘を干す場合、傘干しに適する構造の商品は存在せず、例えば玄関に傘を開いて置いて干すと風に飛ばされる事があり、ベランダの柵などにロープで縛り付けて干せばこの心配はないが、ロープで縛り付ける作業が面倒である。傘を開いて竿に掛けて干す人もいるが、風に飛ばされる心配はあるし、風に吹かれて動き回り危険である。いずれも傘干しに適する構造の傘干し器がないことが原因である。
【発明の開示】
【発明が解決しようとする課題】
【０００３】本発明の目的は濡れた傘を干すに当り、風で傘が飛ばされる事がない、かつ風に飛ばされる事を防ぐ為に傘をロープで柵などに縛り付けるなどの面倒な作業が不要な傘干し器を提供することであり、簡単に傘をセットでき、見栄えが良くなる傘干し器を提供する事である。
【課題を解決する為の手段】
【０００４】傘の先を下方に向けて傘を支持する傘支持部と傘の骨に当ててその開きを抑止する事によって傘を半開状態に保持するストッパー部材とから成る構造の傘干し器とした。
【発明の効果】
【０００５】本発明によれば傘を半開状態にして傘の先を穴か又は傘軸をスリットに挿入するだけで簡単に傘干し状態にセットでき（腰をかがめる必要がない為、楽にセットできる）、従来の様にベランダの柵などにロープで縛り付けて固定するなどの面倒な作業が不要であり、傘を開いて玄関先に置いたり、竿に掛けたりする時の様な風に飛ばされる心配はない。本発明では傘干し器は傘を収納する傘収納器と組み合わせた構造として使う事が望ましく、これにより傘を干す機能の他に傘を収納する機能も有する事になり、便利になる、又、雨降りに帰宅したら濡れた傘を傘干し器にセットして天気の良くなる日を待たずに傘干しができ、傘が長持ちする。更には本発明では傘は半開状態で干すから、スペースを取らず、狭い玄関でもコンパクトな傘干しができる。
【発明を実施する為の形態】
【０００６】図１は本発明による傘干し器を示し、先ず図１（イ）において本傘し器１は支持部材２に形成された傘支持部３（傘の先を挿入する穴）と傘の骨に当てて傘の開きを抑止するストッパー部材４とから成っている。ストッパー部材４は傘布が当るから傘の乾きを阻害しない様に通風穴５を有する構造とするのが良い。４′は傘の骨が外れるのを防ぐ外れ防止部であるが、必要不可欠なものではない。
使い方は傘を半開状態にして傘の先を傘支持部３（穴）に挿入すれば、自然に傘の骨がストッパー部材４に当るところまで開いた半開状態となって傘干しができる（Ａ方向から見た図を示す図２（イ）参照）。半開状態とは云え、傘の布は重なっておらず、傘は良く乾く。傘干し器１は少々の風でも倒れない様に適当な重量を持たせる。傘支持部３（穴）は垂直穴でも良いが、斜め外側に傾いた穴とすると、傘の骨が平均的にストッパー部材４に当る様になる（この穴には排水の為、穴や溝を形成しておく）。図２（イ）においてストッパー部材４の両側に傘支持部３を有する支持部材２を備えると、図３（イ）の如く２本の傘を干す事ができる。
本発明による傘干し器は傘を収納する傘収納器と組み合わせた構造とすると、より便利になる。即ち、図１（ロ）において傘干し器１と傘収納器６とを組み合わせるのであって、傘収納器６は重り７とこれに形成された穴８とから成り、穴８には傘の先を挿入して立てて収納する（Ａ方向から見た図２（ロ）参照）。
図１（ロ）において傘干し器１と籠形の傘収納器とを組み合わせた構造のものを図１（ハ）に示す。即ち、図１（ハ）において９は籠形の傘収納器であり、１０はストッパー部材４に相当する枠である。使用した図をＡ方向から見て図２（ハ）に示す。
図１（ハ）において傘干し器１は図１（ニ）の如く傘収納器９の頂部に備える事もできる。即ち図１（ハ）において、傘支持部３は傘収納器９を構成する部材に備えられ、この部材は支持部材２に相当するものである。
１０′はストッパー部材であり、Ａ方向から見た使用例を図２（ニ）に示す。図２は半開状態で干す傘の数が１本のものであるが、２本、又は３本の傘を干す事ができ、これを図３に示す。先ず図３（ロ）は、図１（ロ）において傘収納器６に傘干しの機能を持たせる様にしたもので、図３（ロ）の如く傘支持部１１（穴）を形成してある。この穴は斜め外側に向いて傾斜する事が望ましい。ここで図３（ロ）は図１（ロ）を上から見た図に相当する。但し、傘干しにより収納できなくなった傘は傘干しが終るまで玄関の隅などに一時的に置いておく必要があるが、その様にしなくても良い実施例を図３（ハ）に示す。即ち、図３（ハ）においてストッパー部材４の両側にある傘干し器１により２本の傘を半開状態に干すと共に、半開状態の傘の邪魔にならない様な位置にある傘収納器６により傘の先を穴８に挿入して収納するのである（図では６本収納可能）。３本の傘を半開状態にして干す事ができ、かつ６本の傘を収納できる傘収納器６を有する構造のものを図３（ニ）に示す。
図２（ハ）において２本の傘を干す事ができる構造のものを図３（ホ）に示す。
尚、図１において傘干し器１の傘支持部３は１個形成してあるのみであるが、複数個形成しておいて各々の位置や斜めになった角度を変える事により傘支持部３を適宜に選択して傘を干す時の開き具合を調整する事ができる。図２（イ）の場合、ストッパー部材４を図２（ホ）の如く傘の傾斜側に備えても良い。
【０００７】図４（イ）は傘の先を下方に向けて傘を支持する傘支持部１５（支持部材１４を拡大して描いた図４（ロ）も参照）が支持部材１４に形成されており、傘支持部１５はスリットであり、この傘支持部１５と傘の骨を当ててその開きを抑止する事により傘を半開状態に保持するストッパー部材１３とから成る傘干し器を示し、支持部材１４はアーム１２の先端に備えられている。
図４（ロ）の如く傘の傘軸を傘支持部１５に挿入すれば傘の柄は、この柄を持ち上げない限り突起１６により外れなくなり、傘の先を下方に向けて傘を支持する状態が保持され、傘の骨がストッパー部材１３に当って半開状態を維持し傘を干す事ができる。
【図面の簡単な説明】
【０００８】
【図１】本発明による傘干し器を示す図。
【図２】本発明による傘干し器の使用状態を示す図。
【図３】本発明による傘干し器を示す図。
【図４】本発明による傘干し器を示す図。
【符号の説明】１は傘干し器、２・１４は支持部材、３は傘支持部、１５は傘支持部、４・１０・１０′はストッパー部材、５は通風穴、６・９は傘収納器、７は重り、８は穴、１１は傘支持部、１２はアーム、１３はストッパー部材、１６は突起、４′は外れ防止部である。
【図１】
2019181136.tif 000003
【図２】
2019181136.tif 000004
【図３】
2019181136.tif 000005
【図４】
2019181136.tif 000006